(57)【要約】【課題】径の太さが異なる複数種類の電線を接続性を低下させることなく収容することを可能とする。【解決手段】電子部品３を内部に収容する電子部品収容部２１と、収容対象となる径の太さが異なる複数種類の電線の中から任意に選択された収容対象電線４を、前記電子部品収容部２１に収容された前記電子部品３の端子と電気的に接続して収容する電線収容部２２と、前記電子部品３の前記端子とは異なる接地端子を接地する導電性の接地部材１２と、を有する電子部品接続箱２であって、前記電線収容部２２が、前記複数種類の電線の各々に対応し且つ該当する種類の前記収容対象電線４が収容されたときに、該収容対象電線４の長手方向への移動を阻止するために圧入されて保持する複数の圧入保持手段１７を有することを特徴とする。【選択図】図１
2009118700.tif 000002
【特許請求の範囲】
【請求項１】
電子部品を内部に収容する電子部品収容部と、収容対象となる径の太さが異なる複数種類の電線の中から任意に選択された収容対象電線を、前記電子部品収容部に収容された前記電子部品の端子と電気的に接続して収容する電線収容部と、前記電子部品の前記端子とは異なる接地端子を接地する導電性の接地部材と、を有する電子部品接続箱であって、
前記電線収容部が、前記複数種類の電線の各々に対応し且つ該当する種類の前記収容対象電線が収容されたときに、該収容対象電線の長手方向への移動を阻止するために圧入されて保持する複数の圧入保持手段を有することを特徴とする電子部品接続箱。
【請求項２】
前記複数の圧入保持手段の各々が、前記収容対象電線を圧入するスリットを有し、
前記複数の圧入保持手段が、前記収容対象電線の圧入方向に向かって、幅の広いスリットから順に幅の狭いスリットが連続して位置付けられるように一体に形成されていることを特徴とする請求項１に記載の電子部品接続箱。
【請求項３】
前記複数の圧入保持手段の各々が、前記スリットに圧入した前記収容対象電線に当接するように前記スリットから突出する突起を有することを特徴とする請求項２に記載の電子部品接続箱。
【請求項４】
前記電線収容部に収容された前記収容対象電線を、前記圧入保持手段に対する圧入方向に押し付ける押し付け手段を有することを特徴とする請求項１〜３の何れか１項に記載の電子部品接続箱。
【請求項５】
請求項１〜４の何れか１項に記載の電子部品接続箱と、
前記電子部品接続箱の電子部品収容部に収容される電子部品と、
複数種類の電線の中から任意に選ばれて前記電子部品接続箱の電線収容部に収容される前記収容対象電線と、
を有することを特徴とする電子部品内蔵ユニット。
【発明の詳細な説明】
【技術分野】
【０００１】
本発明は、収容対象となる径の太さが異なる複数種類の電線の中から任意に選択された収容対象電線と電子部品を収容して接地する電子部品接続箱及び電子部品内蔵ユニットに関するものである。
【背景技術】
【０００２】
例えば、自動車等に装備される各種センサ等は、ホーンやワイパモータのような高周波成分を持った雑音源からの電動ノイズや、ネオンサイン等からの外来ノイズや、誘導ノイズ等が電線を伝わって入力されることがあり、これによって誤動作を引き起こしてしまうという問題が生じていた。
【０００３】
そのため、自動車等に搭載されるワイヤハーネス等においては、そのノイズ対策として、当該ワイヤハーネスに含まれるアース用電線をコンデンサを介して適当な接地部分（例えば車両のボディ等）に接続されることが知られている。このようにコンデンサを介して所定の電線を接地するためのコンデンサ内蔵コネクタとしては、特許文献１に記載されているものが知られている。
【０００４】
特許文献１に示すコンデンサ内蔵コネクタは、一対のコンデンサ端子がコンデンサ本体から互いに同じ向きに突出する一般的なコンデンサを用いながら、簡単且つコンパクトな構造で、前記コンデンサを介して電線側端子をアースに接続する構造を示している。
【特許文献１】特開２００６−１０００６１号公報
【発明の開示】
【発明が解決しようとする課題】
【０００５】
しかしながら、自動車等に配索される複数種類の電線は増加傾向にあり、それぞれの種類に対応して径の太さが異なる太物電線や細物電線等であるため、上述した従来のコンデンサ内蔵コネクタは収容する電線の種類（径の太さ等）に対応させて形成する必要があった。そのため、電線の種類毎に金型等を起こす必要があり、電線の種類の多種多様化に対応することが困難であった。
【０００６】
また、従来のコンデンサ内蔵コネクタにおいては、電線は中間で所定範囲にわたって被覆部材を除去して導体を剥き出し、そこに導電性の電線側端子を圧着し、該電線側端子をケースに固定することでコンデンサの端子に電気的に接続されていたため、電線の長手方向への移動等により電線側端子がずれてしまうと、接続対象ではないコンデンサの他方側端子と電線の導体が短絡してしまう可能性があった。なお、これらの問題は、コンデンサ内蔵コネクタに限定する問題ではなく、電子部品を収容する電子部品接続箱にも同様に生じる問題である。
【０００７】
よって本発明は、上述した問題点に鑑み、径の太さが異なる複数種類の電線を接続性を低下させることなく収容することが可能な電子部品接続箱及び電子部品内蔵ユニットを提供することを課題としている。
【課題を解決するための手段】
【０００８】
上記課題を解決するため本発明によりなされた請求項１記載の電子部品接続箱は、電子部品を内部に収容する電子部品収容部と、収容対象となる径の太さが異なる複数種類の電線の中から任意に選択された収容対象電線を、前記電子部品収容部に収容された前記電子部品の端子と電気的に接続して収容する電線収容部と、前記電子部品の前記端子とは異なる接地端子を接地する導電性の接地部材と、を有する電子部品接続箱であって、前記電線収容部が、前記複数種類の電線の各々に対応し且つ該当する種類の前記収容対象電線が収容されたときに、該収容対象電線の長手方向への移動を阻止するために圧入されて保持する複数の圧入保持手段を有することを特徴とする。
【０００９】
上記請求項１に記載した本発明の電子部品接続箱によれば、収容対象となる径の太さが異なる複数種類の電線の中から任意に選択された収容対象電線は、電線収容部に収容されると、それに対応する圧入保持手段に圧入されて保持されるため、該圧入保持手段によってその長手方向への収容対象電線の移動を阻止することができる。
【００１０】
請求項２記載の発明は、請求項１に記載の電子部品接続箱において、前記複数の圧入保持手段の各々が、前記収容対象電線を圧入するスリットを有し、前記複数の圧入保持手段が、前記収容対象電線４の圧入方向に向かって、幅の広いスリットから順に幅の狭いスリットが連続して位置付けられるように一体に形成されていることを特徴とする。
【００１１】
上記請求項２に記載した本発明の電子部品接続箱によれば、収容対象電線を電線収容部に対して圧入方向に収容すると、その径に対応したスリットに圧入されるため、該当する圧入保持手段に収容対象電線を容易に圧入することができる。
【００１２】
請求項３記載の発明は、請求項２に記載の電子部品接続箱において、前記複数の圧入保持手段の各々が、前記スリットに圧入した前記収容対象電線に当接するように前記スリットから突出する突起を有することを特徴とする。
【００１３】
上記請求項３に記載した本発明の電子部品接続箱によれば、収容対象電線をスリットに圧入すると、該スリットから突出する突起が収容対象電線に当接するため、圧入保持手段からの収容対象電線の抜けを防止することができる。
【００１４】
請求項４記載の発明は、請求項１〜３の何れか１項に記載の電子部品接続箱において、前記電線収容部に収容された前記収容対象電線を、前記圧入保持手段に対する圧入方向に押し付ける押し付け手段を有することを特徴とする。
【００１５】
上記請求項４に記載した本発明の電子部品接続箱によれば、電線収容部に収容された収容対象電線を、押し付け手段によって圧入保持手段に対する圧入方向に押し付けるようにしたことから、圧入保持手段からの収容対象電線の抜けをより確実に防止することができる。
【００１６】
上記課題を解決するため本発明によりなされた請求項５記載の電子部品内蔵ユニットは、請求項１〜４の何れか１項に記載の電子部品接続箱と、前記電子部品接続箱の電子部品収容部に収容される電子部品と、複数種類の電線の中から任意に選ばれて前記電子部品接続箱の電線収容部に収容される前記収容対象電線と、を有することを特徴とする。
【００１７】
上記請求項４に記載した本発明の電子部品内蔵ユニットによれば、収容対象電線は電線収容部に収容されると、圧入保持手段に圧入されて保持し、該収容された収容対象電線と電子部品収容部に収容された電子部品とを電気的に接続し、且つ、該電子部品と接地部材を電気的に接続するようにしたことから、収容対象電線がその長手方向に移動して、収容対象電線と電子部品と接地部材との電気的な接続が解除されることを防止できる。
【発明の効果】
【００１８】
以上説明したように請求項１に記載した本発明の電子部品接続箱によれば、電線収容部に収容された収容対象電線を圧入保持手段によってその長手方向への移動を阻止するようにしたことから、径の太さが異なる複数種類の電線を共通の電子部品接続箱に収容しても、全ての収容対象電線の長手方向への移動を阻止できるため、電子部品との電気的な接続解除を防止できる。従って、径の太さが異なる複数種類の電線を接続性を低下させることなく収容することができる電子部品接続箱を提供することができる。また、複数種類の電線毎に専用の電子部品接続箱を用意する必要がなくなるため、製品のコストダウンに貢献することができる。
【００１９】
請求項２に記載した本発明の電子部品接続箱によれば、請求項１に記載の発明の効果に加え、収容対象電線が圧入されるスリットをその圧入方向に幅の広いものから順に幅の狭いものに連続して位置付けるようにしたことから、収容対象電線を圧入方向に押し込むだけで、該当するスリットに圧入することができるため、組み付け作業等の効率を向上させることができる。
【００２０】
請求項３に記載した本発明の電子部品接続箱によれば、請求項２に記載の発明の効果に加え、収容対象電線を圧入するスリットに突起を設けて、圧入保持手段からの収容対象電線の抜けを防止するようにしたことから、複数種類の電線を収容対象としても、その径の太さにかかわらず、全ての収容対象電線の長手方向及び圧入解除方向への移動を阻止できるため、接続信頼性をより一層向上させることができる。
【００２１】
請求項４に記載した本発明の電子部品接続箱によれば、請求項１〜３の何れか１項に記載の発明の効果に加え、押し付け手段によって圧入保持手段からの収容対象電線の抜けをより確実に防止するようにしたことから、接続信頼性をより一層向上させることができる。
【００２２】
以上説明したように請求項５に記載した本発明の電子部品内蔵ユニットによれば、収容対象電線が電線収容部に収容されると、圧入保持手段に圧入されて保持し、該収容された収容対象電線と電子部品収容部に収容された電子部品とを電気的に接続し、且つ、該電子部品と接地部材を電気的に接続するようにしたことから、収容対象電線がその長手方向に移動して、収容対象電線と電子部品と接地部材との電気的な接続が解除されることを防止できるため、接続信頼性及び絶縁性の向上を図ることができる。従って、接地部材と電子部品と電線との電気的な接続解除を防止することができ、電線に伝わる各種ノイズを排除することができる。
【発明を実施するための最良の形態】
【００２３】
以下、本発明に係る電子部品接続箱及び電子部品内蔵ユニットの一実施形態を、図１〜図７の図面を参照して以下に説明する。
【００２４】
図１〜図７において、電子部品内蔵ユニット１は、電子部品接続箱２と、該電子部品接続箱２の電子部品収容部２１に収容される電子部品としてのコンデンサ３と、電子部品接続箱２の電線収容部２２に収容される電線（収容対象電線ともいう）４と、を有して構成されている。そして、電子部品内蔵ユニット１は、後述の説明からも分かるようになるが、本実施形態においてノイズフィルタとして機能するように構成されており、車両のボディ等の相手部材に固定されて接地される。
【００２５】
コンデンサ３は、公知であるように、図３に示すような略座布団形状の本体３１と、一対の端子３２，３３とを有している。コンデンサ３は、車両の振動等によってガタツキが生じない状態で電子部品接続箱２に収容される。そして、端子３２は、収容対象電線４と電気的に接続され、且つ、端子３３は後述する接地部材１２と電気的に接続される。即ち、本実施形態では、端子３３が請求項中の接地端子に相当している。
【００２６】
なお、本実施形態では、電子部品をコンデンサ３とする場合について説明するが、本発明はこれに限定するものではなく、例えばダイオード、抵抗等の各種電子部品とすることもできる。
【００２７】
収容対象電線４は、公知であるワイヤハーネスを構成する複数の電線のうちの一本、又は単独の電線であって、導体４１と、この導体４１を被覆する絶縁性の被覆部４２とを有して構成されている。このような電線４の中間には、後述する電線端子１５が電気的に接続されている。具体的に電線端子１５は、電線４の中間における被覆部４２を所定範囲で除去することにより剥き出しになった導体４１に対して接続されている。
【００２８】
本実施形態においては、電子部品接続箱２に対する収容対象電線４が、図２に示す径の太い太物電線４ａと、該太物電線４ａよりも径の細い図３に示す細物電線４ｂと、を有する場合について説明するが、その種類数は任意に設定することができる。
【００２９】
電子部品接続箱２は、図４に示すように、ユニット本体１１と、接地部材１２と、係止部材１３と、バスバー１４と、電線端子１５と、電線カバー１６と、圧入保持手段１７と、を有して構成されている。
【００３０】
ユニット本体１１は、絶縁性を有する合成樹脂部材等で略箱状に形成されており、コンデンサ３を開口２１ａから内部に収容する電子部品収容部２１と、該電子部品収容部２１に収容されたコンデンサの端子３２と電気的に接続される電線４が収容される電線収容部２２と、を有している。そして、電子部品収容部２１及び電線収容部２２は、ユニット本体１１の底壁２３と、この底壁２３の縁部から起立する側壁２４と、隔壁２５とにより囲まれた凹状の部分として形成されている。電子部品収容部２１の開口２１ａ及び電線収容部２２の開口２２ａは、側壁２４と隔壁２５の縁部で囲まれた部分として形成されている。
【００３１】
一対の本体側係止部２６、２７は、隔壁２５が交わり且つ電子部品収容部２１の開口２１ａを形成している側壁２４の各々に形成されている。
【００３２】
一方の本体側係止部２６は、図４等に示すように、例えば接地部材１２の係止部の肉厚分等だけ周囲の側壁の外面よりも奥まって形成された係止基部２６ａと、該係止基部２６ａから外部に向かって突出する突起２６ｂと、係止基部２６ａの高さ方向（図中上下方向）に延びる縁部である一対の案内部２６ｃと、突起２６ｂの両側に位置するように係止基部２６ａに設けられた一対のスリット２６ｄと、を有している。このように構成された本体側係止部２６は、一対のスリット２６ｄによって係止基部２６ａにおける突起２６ｂが形成された部分が撓む構造となっている。
【００３３】
他方の本体側係止部２７は、図７に示すように、係止基部２７ａと、該係止基部２７ａから外部に向かって突出する突起２７ｂと、該突起２６ｂの両側に位置するように係止基部２６ａに設けられた一対のスリット２７ｄと、を有している。このように構成された本体側係止部２７は、一対のスリット２７ｄによって係止基部２７ａにおける突起２７ｂが形成された部分が撓む構造となっている。
【００３４】
接地部材１２は、導電性を有する金属板等を加工することにより形成されており、コンデンサ３の接地用の端子３３と電気的に接続され、且つ、車両のボディ等の相手部材（図示せず）に電気的に接続されることで、端子３３を接地する。即ち、接地部材１２は、コンデンサ３を介して電線４を接地することで、ノイズフィルターとして機能する。
【００３５】
接地部材１２は、図４等に示すように、接続部１２ａと、カバー部１２ｂと、係止部１２ｃ，１２ｄと、接地部１２ｆと、を一体に有して構成されている。
【００３６】
接続部１２ａは、電子部品収容部２１に収容されて電線収容部２２に延在するコンデンサ３の端子３３の上に位置付けられるように、カバー部１２ｂの縁部から略Ｌ字状のアームとして形成されている。接続部１２ａは、ユニット本体１１の底壁２３に平行な接続タブ１２１と、この接続タブ１２１に直交してユニット本体１１の隔壁２５と平行な連結部１２２と、を有している。そして、接続部１２ａの接続タブ２１１は、コンデンサ３の端子３３と溶接、半田付け等によって電気的に接続されている。
【００３７】
カバー部１２ｂは、電子部品収容部２１の開口２１ａを塞いで嵌合するように、開口２１ａと略同一形状の蓋状に形成されている。カバー部１２ｂは、後述する係止部材１３を係止するスリット状の取付部１２ｇを有している。そして、取付部１２ｇは、電子部品収容部２１の開口２１ａを塞いでいない状態では前記係止部材１３が着脱自在に装着され且つ電子部品収容部２１の開口２１ａを塞いだときに電子部品収容部２１の内壁等に前記係止部材１３を当接させて脱落を防止するように形成されている。具体的には、取付部１２ｇが、ユニット本体１１の隔壁２５と平行にスライドできるように、カバー部１２ｂの中央から係止部１２ｄに向かうスリットとして形成されている。
【００３８】
係止部１２ｃは、本体側係止部２６の突起２６ｂを係止するために、カバー部１２ｂの縁部からユニット本体１１の側壁２４に沿って延びる略Ｕ字状に切り欠けて形成されている。係止部１２ｃは、本体側係止部２６の案内部２６ｃによって移動が規制されて位置決めされる。
【００３９】
係止部１２ｄは、図７に示すように、本体側係止部２７の突起２７ｂを係止するために、カバー部１２ｂの縁部からユニット本体１１の側壁２４に沿って延びる略Ｕ字状に切り欠けて形成されている。係止部１２ｄは、電子部品収容部２１を形成するユニット本体１１の側壁２４と略同一の幅となるように、係止部１２ｃよりも幅が広くなるように形成されている。
【００４０】
接地部１２ｆは、螺子止め用の貫通孔を有しており、カバー部１２ｂからユニット本体１１の外部に延びるように形成されている。接地部１２ｆは、車両のボディ等の相手部材に螺子止めされることで、相手部材に固定されて接続部１２ａをカバー部１２ｂを介して接地する。即ち、接続部１２ａに電気的に接続された電線４が接地されることになる。
【００４１】
係止部材１３は、電子部品接続箱２（電子部品内蔵ユニット１）を前記相手部材に対して係止するための部材であり、その形状は一例を示している。係止部材１３は、図４に示すように、前記相手部材に係止するための係止凸部１３ａと、該係止凸部１３ａとの間に取付部１２ｇ（カバー部１２ｂ）の縁部をスライド自在に挟持するための隙間を形成するベース部１３ｂと、を有している。
【００４２】
バスバー１４は、導電性を有する金属部材等を加工することによって図４に示す形状に形成されている。バスバー１４は、電線収容部２２に収容されてコンデンサ３の端子３２と電気的に接続される基部１４ａと、該基部１４ａから突出してユニット本体１１にバスバー１４を固定する複数（図１中では２つ）の固定部１４ｂと、基部１４ａからユニット本体１１の隔壁２５と平行に起立し且つ電線端子１５と電気的に接続される起立部１４ｃと、を一体に有している。
【００４３】
電線端子１５は、導電性を有する金属部材等を加工することによって図１に示す形状に形成されている。電線端子１５は、電線４の被覆部４２から剥き出しになった導体４１に直接接続される電線接続部１５ａと、該電線接続部１５ａに連続する連続部１５ｂと、該連続部１５ｂの側部に起立して前記起立部１４ｃと電気的に接続される接触部１５ｃと、前記電線収容部２２に収容された前記収容対象電線を後述する圧入保持手段１７の圧入方向Ｘ（図２，３参照）に押し付ける押し付け手段１５ｄと、を一体に有している。
【００４４】
押し付け手段１５ｄは、図８に示すように、後述する前記収容対象電線の全てを圧入方向Ｘに押さえ付けることが可能なように、接触部１５ｃから連続する断面略「く」の字状のバネとして形成されている。そして、ケース本体１１の底壁２３には、押し付け手段１５ｄによって押さえ付けられた前記収容対象電線４を受け止めて挟み込む柱状の押さえ受け部２９を形成している。
【００４５】
この構成により、押し付け手段１５ｄは、図８（ａ）に示すように、太物電線４ａが電線収容部２２に収容された場合、太物電線４ａと電線カバー１６との間で若干押し潰された状態で、太物電線４ａを圧入方向Ｘに押し付けた状態を維持する。また、図８（ｂ）に示すように、細物電線４ｂが電線収容部２２に収容された場合、細物電線４ｂと電線カバー１６との間で若干潰れた状態で、細物電線４ｂを圧入方向Ｘに押し付けた状態を維持する。このように押し付け手段１５ｄを別体で設けることで、電線カバー１６に前記収容対象電線を押さえ付ける箇所を形成する必要がなくなるため、収容対象となる電線が多種多様化しても電線カバー１６の形状が複雑化することを防止できる。
【００４６】
電線カバー１６は、絶縁性を有する合成樹脂製の部材であって、電線収容部２２に収容された電線端子１５を覆うように開口２２ａを塞いでいる。即ち、電線カバー１６は、電線収容部２２の構成の一部となっている。そして、電線カバー１６は、天井壁１６ａと、該天井壁１６ａの縁部に形成される一対の側壁１６ｂと、各側壁１６ｂの外側に設けられ且つ電線収容部２２への差し込みをガイドするガイド部１６ｃと、電線収容部２２の側壁２４の嵌合孔２４ａと嵌合するカバー側突起１６ｄと、一対の側壁１６ｂの間に形成されて電線４を係止する電線係止部１６ｅと、を有している。
【００４７】
また、圧入保持手段１７は、複数種類の電線４の径の各々に対応するように、電線係止部１６ｅに対応した電線収容部２２のケース２４に複数（図１中では２つ）形成されている。圧入保持手段１７は、図２に示す太物電線４ａを圧入保持する第１圧入保持手段１７ａと、図３に示す細物電線４ｂを圧入保持する第２圧入保持手段１７ｂと、を有して構成されている。複数の圧入保持手段１７の各々は、収容対象電線４の長手方向への移動を阻止するように圧入保持するスリット状に形成されている。
【００４８】
第１圧入保持手段１７ａは、電線収容部２２のケース２４に開口２２ａ側からケース本体１１の底壁２３に向かって細くなるように形成されたテーパ部２２ｂから、底壁２３に向かって延びるようにテーパ部２２ｂと一体に形成されている。第２圧入保持手段１７ｂは、第１圧入保持手段１７ａから底壁２３に向かって延びるように第１圧入保持手段１７ａと一体に形成されている。なお、テーパ部２２ｂは、電線４の組み付け性の向上のために形成しているが、その構成の有無は任意に定めることができる。
【００４９】
第１圧入保持手段１７ａ及び第２圧入保持手段１７ｂの各々は、図２及び図３に示すように、太物電線４ａ、細物電線４ｂ等の収容対象電線４を圧入する圧入スリット１７１と、前記収容対象電線４に当接するように前記収容対象電線４に向かって圧入スリット１７１から突出する一対の突起１７２と、を有している。即ち、複数（図１中では２つ）の第１圧入保持手段１７ａ及び第２圧入保持手段１７ｂが、収容対象電線４の圧入方向Ｘに向かって、幅の広いスリット１７１から順に幅の狭いスリット１７１が連続して位置付けられるように一体に形成されている。
【００５０】
圧入スリット１７１は、その幅が前記収容対象電線４の径よりも若干細い幅となるように形成することで、前記収容対象電線４の長手方向の移動を阻止する構造となっている。そして、突起１７２の各々は、圧入スリット１７１に圧入された前記収容対象電線４が、図２及び図３中の圧入方向Ｘとは反対方向への前記収容対象電線４の移動を阻止して圧入スリット１７１からの抜けを防止するように、圧入スリット１７１の上端寄りに形成されている。
【００５１】
なお、突起１７２については、例えば、その数を１つとしたり、前記収容対象電線４を電線カバー１６等で押さえ付けることが困難な圧力保持手段１７にのみ設ける、前記収容対象電線を電線カバー１６等で押さえ付けることが可能であれば圧入保持手段の構成から削除するなど種々異なる実施形態とすることができる。
【００５２】
このように本実施例では、説明を簡単化するために、電線収容部２２に対する収容対象となる電線４を太物電線４ａと細物電線４ｂとし、電線収容部２２が２つの第１圧入保持手段１７ａと第２圧入保持手段１７ｂを有する場合の一例について説明するが、本発明はこれに限定するものではなく、例えば３種類以上の電線４を収容対象とする場合はその種類の数に応じて圧入保持手段１７を形成するなど種々異なる実施形態とすることができる。
【００５３】
また、本実施例では、２つの第１圧入保持手段１７ａと第２圧入保持手段１７ｂをケース本体１１の高さ方向に連続させる場合について説明するが、本発明はこれに限定するものではなく、電線４の長手方向における異なる位置に高さをずらして形成する、ケース２４に並設するなど種々異なる実施形態とすることができる。
【００５４】
次に、上記構成に基づいて、電子部品内蔵ユニット１における電子部品接続箱２の組み付けの一例を以下に説明する。
【００５５】
まず、コンデンサ３が電子部品収容部２１の開口２１ａから挿入され、電線収容部２２にコンデンサ３の端子３２，３３が突出した状態で電子部品収容部２１に収容される。そして、電線収容部２２にバスバー１４が挿入されてユニット本体１１に固定されるとともに、接地部材１２のカバー部１２ｂに係止部材１３が結合される。具体的には、係止部材１３が取付部１２ｇに挿入され、カバー部１２ｂの中央までスライドされることで、接地部材１２に係止される。
【００５６】
この接地部材１２が、電線収容部２２の開口２１ａを塞ぐようにケース本体１１に近づけられ、その係止部１２ｃが一対の案内部２６ｃの間にに、且つ、係止部１２ｄが本体側係止部２７にそれぞれ宛われて、接地部材１２が電線収容部２２に位置決めされ、接地部材１２がケース本体１１に向かって押圧されることで、係止部１２ｃと本体側係止部２６及び係止部１３ｃと本体側係止部２７がそれぞれ係止される。また、コンデンサ３の端子３３上には、バスバー１５と接地部材１２の接続部１２ａが位置しており、それらが溶接等によって電気的に接続される。
【００５７】
複数種類の電線の中から任意に選択された太物電線４ａは、所望の位置となる太物電線４ａの中間において、被覆部４２を所定の範囲で除去して導体４１を露出され、そこを電線端子１５の電線接続部１５ａが覆うように電線端子１５が圧着され、導体４１と電線端子１５とが電気的に接続される。そして、その電線端子１５は電線カバー１６に挿入され、該電線カバー１６は開口２２ａを塞ぐように電線収容部２２に挿入される。これにより、太物電線４ａと前記バスバー１４とが電線端子１５を介して電気的に接続され且つ太物電線４ａが第１圧入保持手段１７ａのスリット１７１に圧入されて保持される。そして、該太物電線４ａは押し付け手段１５ｄによって図８（ａ）に示すように圧入方向Ｘに押し付けられた状態で、電子部品内蔵ユニット１の組み立てが完了する。
【００５８】
このように組み立てられた電子部品内蔵ユニット１は、太物電線４ａに対してその長手方向に引っ張り力等が発生しても、第１圧入保持手段１７ａによって太物電線４ａの移動が阻止される。そして、電子部品内蔵ユニット１は、前記相手部材の取付穴に係止部材１３が挿入されて仮固定され、接地部材１２の接地部１２ｆの貫通孔と前記相手部材の螺子穴を合わせ、螺子で締められて固定されることで、ノイズフィルタとして機能することになる。
【００５９】
以上説明した電子部品内蔵ユニット１によれば、収容対象電線４が電線収容部２２に収容されると、圧入保持手段１７に圧入されて保持し、該収容された収容対象電線４と電子部品収容部２１に収容されたコンデンサ３とを電気的に接続し、且つ、該コンデンサ３と接地部材１２を電気的に接続するようにしたことから、収容対象電線４がその長手方向に移動して、収容対象電線４とコンデンサ３と接地部材１２との電気的な接続が解除されることを防止できるため、接続信頼性及び絶縁性の向上を図ることができる。従って、接地部材１２とコンデンサ３と収容対象電線４との電気的な接続解除を防止することができ、電線に伝わる各種ノイズを排除することができる。
【００６０】
また、収容対象電線４が圧入されるスリット１７１をその圧入方向Ｘに幅の広いものから順に幅の狭いものに連続して位置付けるようにしたことから、収容対象電線４を圧入方向Ｘに押し込むだけで、該当するスリット１７１に圧入することができるため、組み付け作業等の効率を向上させることができる。
【００６１】
さらに、収容対象電線４を圧入するスリット１７１に突起１７２を設けて、圧入保持手段１７からの収容対象電線４の抜けを防止するようにしたことから、複数種類の電線を収容対象としても、その径の太さにかかわらず、全ての収容対象電線４の長手方向及び圧入解除方向への移動を阻止できるため、接続信頼性をより一層向上させることができる。
【００６２】
また、押し付け手段１５ｄによって圧入保持手段１７からの収容対象電線４の抜けをより確実に防止するようにしたことから、接続信頼性をより一層向上させることができる。なお、押し付け手段１５ｄについては、電線カバー１６に形成するなど種々異なる実施形態とすることができる。
【００６３】
なお、上述した本実施例では、圧入保持手段１７のスリット１７１の幅を、保持対象となる収容対象電線４の径よりも若干小さくする場合について説明したが、本発明はこれに限定するものではなく、例えば図９（ａ），（ｂ）に示すように、スリット１７１の幅を収容対象電線４の径よりも若干大きくすることもできる。このようにすれば、圧入保持手段１７に収容対象電線４を圧入する際の力が小さくて良いため、組み付け性の向上に貢献することができる。さらには、スリット１７１の形状をテーパ状とすることもできる。
【００６４】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００６５】
【図１】本発明に電子部品接続箱及び電子部品内蔵ユニットの一例を示す外観側面図である。
【図２】図１の電子部品内蔵ユニットに太物電線を組み付けたときの部分側面図である。
【図３】図１の電子部品内蔵ユニットに細物電線を組み付けたときの部分側面図である。
【図４】本発明に電子部品接続箱及び電子部品内蔵ユニットの一例を示す分解斜視図である。
【図５】図４の電子部品接続箱の外観斜視図である。
【図６】図４の電子部品内蔵ユニットの外観斜視図である。
【図７】図４中のケース本体と接地部材を示す分解斜視図である。
【図８】電子部品接続箱及び電子部品内蔵ユニットに対する収容対象電線の収容例を説明するための断面模式図であり、（ａ）は太物電線の収容時、（ｂ）は細物電線の収容時をそれぞれ示している。
【図９】本発明に電子部品接続箱及び電子部品内蔵ユニットの他の例を説明するための図であり、（ａ）は太物電線の収容時、（ｂ）は細物電線の収容時をそれぞれ示している。
【符号の説明】
【００６６】
１    電子部品内蔵ユニット
２    電子部品接続箱
３    電子部品（コンデンサ）
４    収容対象電線（電線）
１１    ユニット本体
１２    接地部材
１３    係止部材
１４    バスバー
１５    電線端子
１５ｄ    押し付け手段
１６    電線カバー
１７    圧入保持手段
２１    電子部品収容部
２２    電線収容部
１７１    圧入スリット
１７２    突起
【図１】
2009118700.tif 000003
【図２】
2009118700.tif 000004
【図３】
2009118700.tif 000005
【図４】
2009118700.tif 000006
【図５】
2009118700.tif 000007
【図６】
2009118700.tif 000008
【図７】
2009118700.tif 000009
【図８】
2009118700.tif 000010
【図９】
2009118700.tif 000011